【手続補正書】
【提出日】令和2年1月15日(2020.1.15)
【手続補正１】
【補正対象書類名】特許請求の範囲
【補正対象項目名】全文
【補正方法】変更
【補正の内容】
【特許請求の範囲】
【請求項１】
端末による情報処理方法であって、
乗物の配車依頼に関する情報を前記端末の通信部によってサーバに送信することと、
位置に関する第１情報を前記通信部によって前記サーバに送信することと、
前記端末のユーザによって設定される目的地に関する第３情報を前記通信部によって前記サーバに送信することと、
前記端末から前記サーバに送信された前記第１情報と、前記乗物の位置に関する第２情報と、前記端末から前記サーバに送信された前記第３情報と、前記端末とは異なる第１端末から前記サーバに送信された位置に関する第４情報とに基づく、前記乗物が移動する経路に関する情報を前記通信部によって受信することと、
前記経路に関する情報に基づく表示を前記端末の表示領域に表示することとを含む。
【請求項２】
請求項１に記載の情報処理方法であって、
前記経路は、前記第１情報に基づく位置と、前記第３情報に基づく位置と、前記第４情報に基づく位置とを少なくとも含む経路である。
【請求項３】
請求項１または請求項２に記載の情報処理方法であって、
前記端末のユーザとは異なる前記第１端末のユーザとの前記乗物の乗り合いの同意に関する情報を前記通信部によって前記サーバに送信する。
【請求項４】
請求項１から請求項３のいずれか一項に記載の情報処理方法であって、
前記乗物が経由する位置に関する情報を前記通信部によって前記サーバに送信することを含み、
前記経路は、前記乗物が経由する位置に関する情報に基づいて決定される。
【請求項５】
請求項１から請求項４のいずれか一項に記載の情報処理方法であって、
前記経路に関する情報に基づき、前記端末のユーザが前記目的地に到着する予想到着時刻を前記表示領域に表示することを含む。
【請求項６】
請求項１から請求項５のいずれか一項に記載の情報処理方法であって、
前記乗物は、第１乗物と第２乗物とを含み、
前記第１情報と、前記第１乗物の位置に関する前記第２情報と、前記第３情報と、前記第４情報とに基づく、前記第１乗物が移動する第１経路に関する情報を前記通信部によって受信することと、
前記第１情報と、前記第２乗物の位置に関する前記第２情報と、前記第３情報と、前記第４情報とに基づく、前記第２乗物が移動する第２経路に関する情報を前記通信部によって受信することとを含む。
【請求項７】
請求項６に記載の情報処理方法であって、
前記第１経路に関する情報に基づく表示と、前記第２経路に関する情報に基づく表示とを、前記経路に関する情報に基づく表示として、前記表示領域に表示することを含む。
【請求項８】
請求項７に記載の情報処理方法であって、
前記第１経路に関する情報に基づく、前記端末のユーザが前記目的地に到着する第１予想到着時刻と、前記第２経路に関する情報に基づく、前記端末のユーザが前記目的地に到着する第２予想到着時刻とを前記表示領域に表示することを含む。
【請求項９】
請求項８に記載の情報処理方法であって、
前記第１予想到着時刻と前記第２予想到着時刻とを、到着時刻が早い順序で前記表示領域に表示することを含む。
【請求項１０】
請求項１から請求項９のいずれか一項に記載の情報処理方法であって、
前記乗物は、前記第３情報に基づいて、複数の乗物のうちから選択される。
【請求項１１】
請求項１０に記載の情報処理方法であって、
前記乗物は、前記第３情報から設定された範囲に含まれる前記第２情報を有する乗物のうちから選択される。
【請求項１２】
請求項１から請求項１１のいずれか一項に記載の情報処理方法であって、
前記第１情報に基づく表示と、前記第３情報に基づく表示とを前記表示領域に行うことを含む。
【請求項１３】
請求項１２に記載の情報処理方法であって、
前記第１情報に基づく表示は、前記端末のユーザによって登録された、前記端末のユーザを示す画像を表示する。
【請求項１４】
請求項１から請求項１３のいずれか一項に記載の情報処理方法であって、
前記第２情報に基づく表示を前記表示領域に行うことを含む。
【請求項１５】
請求項１から請求項１４のいずれか一項に記載の情報処理方法であって、
前記第４情報に基づく表示を前記表示領域に行うことを含む。
【請求項１６】
請求項１５に記載の情報処理方法であって、
前記第４情報に基づく表示は、前記第１端末のユーザによって登録された、前記第１端末のユーザを示す画像を表示する。
【請求項１７】
請求項１から請求項１６のいずれか一項に記載の情報処理方法であって、
前記サーバから送信された、前記乗物に関する乗物情報を前記通信部によって受信することを含む。
【請求項１８】
請求項１から請求項１７のいずれか一項に記載の情報処理方法であって、
前記乗物が前記第１情報に基づく位置に到着する予想時刻を前記表示領域に表示することを含む。
【請求項１９】
請求項１から請求項１８のいずれか一項に記載の情報処理方法であって、
前記経路は、前記第１情報と前記第２情報との第１位置関係と、前記第４情報と前記第２情報との第２位置関係とに基づいて決定される。
【請求項２０】
請求項１から請求項１９のいずれか一項に記載の情報処理方法であって、
前記乗物が有する無線通信部と前記通信部によって通信することと、
前記無線通信部と前記通信部との通信に基づいて、前記乗物に前記端末のユーザが乗車したことに関する情報、または前記乗物から前記端末のユーザが降車したことに関する情報を前記サーバに送信することとを含む。
【請求項２１】
請求項１から請求項２０のいずれか一項に記載の情報処理方法であって、
前記端末のユーザによる、前記表示領域に表示された通話に関する画像に対する入力に基づいて、前記乗物に関連する電話機器と通話を行うことを含む。
【請求項２２】
請求項１から請求項２１のいずれか一項に記載の情報処理方法であって、
前記第１情報は、前記端末の位置に関する情報である。
【請求項２３】
請求項１から請求項２２のいずれか一項に記載の情報処理方法であって、
前記第１情報は、前記端末のユーザによって入力された、前記端末のユーザが前記乗物に乗車する位置に関する情報である。
【請求項２４】
請求項１から請求項２３のいずれか一項に記載の情報処理方法であって、
前記端末のユーザと前記第１端末のユーザとは、前記サーバで関連付けられている。
【請求項２５】
端末に実行されるプログラムであって、
乗物の配車依頼に関する情報を前記端末の通信部によってサーバに送信することと、
位置に関する第１情報を前記通信部によって前記サーバに送信することと、
前記端末のユーザによって設定される目的地に関する第３情報を前記通信部によって前記サーバに送信することと、
前記端末から前記サーバに送信された前記第１情報と、前記乗物の位置に関する第２情報と、前記端末から前記サーバに送信された前記第３情報と、前記端末とは異なる第１端末から前記サーバに送信された位置に関する第４情報とに基づく、前記乗物が移動する経路に関する情報を前記通信部によって受信することと、
前記経路に関する情報に基づく表示を前記端末の表示領域に表示することとを含む。
【請求項２６】
請求項２５に記載のプログラムであって、
前記経路は、前記第１情報に基づく位置と、前記第３情報に基づく位置と、前記第４情報に基づく位置とに基づく位置とを少なくとも含む経路である。
【請求項２７】
請求項２５または請求項２６に記載のプログラムであって、
前記端末のユーザとは異なる前記第１端末のユーザとの前記乗物の乗り合いの同意に関する情報を前記通信部によって前記サーバに送信する。
【請求項２８】
請求項２５から請求項２７のいずれか一項に記載のプログラムであって、
前記乗物が経由する位置に関する情報を前記通信部によって前記サーバに送信することを含み、
前記経路は、前記乗物が経由する位置に関する情報に基づいて決定される。
【請求項２９】
請求項２５から請求項２８のいずれか一項に記載のプログラムであって、
前記経路に関する情報に基づき、前記端末のユーザが前記目的地に到着する予想到着時刻を前記表示領域に表示することを含む。
【請求項３０】
請求項２５から請求項２９のいずれか一項に記載のプログラムであって、
前記乗物は、第１乗物と第２乗物とを含み、
前記第１情報と、前記第１乗物の位置に関する前記第２情報と、前記第３情報と、前記第４情報とに基づく、前記第１乗物が移動する第１経路に関する情報を前記通信部によって受信することと、
前記第１情報と、前記第２乗物の位置に関する前記第２情報と、前記第３情報と、前記第４情報とに基づく、前記第２乗物が移動する第２経路に関する情報を前記通信部によって受信することとを含む。
【請求項３１】
請求項３０に記載のプログラムであって、
前記第１経路に関する情報に基づく表示と、前記第２経路に関する情報に基づく表示とを、前記経路に関する情報に基づく表示として、前記表示領域に表示することを含む。
【請求項３２】
請求項３１に記載のプログラムであって、
前記第１経路に関する情報に基づく、前記端末のユーザが前記目的地に到着する第１予想到着時刻と、前記第２経路に関する情報に基づく、前記端末のユーザが前記目的地に到着する第２予想到着時刻とを前記表示領域に表示することを含む。
【請求項３３】
請求項３２に記載のプログラムであって、
前記第１予想到着時刻と前記第２予想到着時刻とを、到着時刻が早い順序で前記表示領域に表示することを含む。
【請求項３４】
請求項２５から請求項３３のいずれか一項に記載のプログラムであって、
前記乗物は、前記第３情報に基づいて、複数の乗物のうちから選択される。
【請求項３５】
請求項３４に記載のプログラムであって、
前記乗物は、前記第３情報から設定された範囲に含まれる前記第２情報を有する乗物のうちから選択される。
【請求項３６】
請求項２５から請求項３５のいずれか一項に記載のプログラムであって、
前記第１情報に基づく表示と、前記第３情報に基づく表示とを前記表示領域に行うことを含む。
【請求項３７】
請求項３６に記載のプログラムであって、
前記第１情報に基づく表示は、前記端末のユーザによって登録された、前記端末のユーザを示す画像を表示する。
【請求項３８】
請求項２５から請求項３７のいずれか一項に記載のプログラムであって、
前記第２情報に基づく表示を前記表示領域に行うことを含む。
【請求項３９】
請求項２５から請求項３８のいずれか一項に記載のプログラムであって、
前記第４情報に基づく表示を前記表示領域に行うことを含む。
【請求項４０】
請求項３９に記載のプログラムであって、
前記第４情報に基づく表示は、前記第１端末のユーザによって登録された、前記第１端末のユーザを示す画像を表示する。
【請求項４１】
請求項２５から請求項４０のいずれか一項に記載のプログラムであって、
前記サーバから送信された、前記乗物に関する乗物情報を前記通信部によって受信することを含む。
【請求項４２】
請求項２５から請求項４１のいずれか一項に記載のプログラムであって、
前記乗物が前記第１情報に基づく位置に到着する予想時刻を前記表示領域に表示することを含む。
【請求項４３】
請求項２５から請求項４２のいずれか一項に記載のプログラムであって、
前記経路は、前記第１情報と前記第２情報との第１位置関係と、前記第４情報と前記第２情報との第２位置関係とに基づいて決定される。
【請求項４４】
請求項２５から請求項４３のいずれか一項に記載のプログラムであって、
前記乗物が有する無線通信部と前記通信部によって通信することと、
前記無線通信部と前記通信部との通信に基づいて、前記乗物に前記端末のユーザが乗車したことに関する情報、または前記乗物から前記端末のユーザが降車したことに関する情報を前記サーバに送信することとを含む。
【請求項４５】
請求項２５から請求項４４のいずれか一項に記載のプログラムであって、
前記端末のユーザによる、前記表示領域に表示された通話に関する画像に対する入力に基づいて、前記乗物に関連する電話機器と通話を行うことを含む。
【請求項４６】
請求項２５から請求項４５のいずれか一項に記載のプログラムであって、
前記第１情報は、前記端末の位置に関する情報である。
【請求項４７】
請求項２５から請求項４６のいずれか一項に記載のプログラムであって、
前記第１情報は、前記端末のユーザによって入力された、前記端末のユーザが前記乗物に乗車する位置に関する情報である。
【請求項４８】
請求項２５から請求項４７のいずれか一項に記載のプログラムであって、
前記端末のユーザと前記第１端末のユーザとは、前記サーバで関連付けられている。
【請求項４９】
サーバと通信する端末であって、
乗物の配車依頼に関する情報を前記サーバに送信し、位置に関する第１情報を前記サーバに送信し、前記端末のユーザによって設定される目的地に関する第３情報を前記サーバに送信し、前記端末から前記サーバに送信された前記第１情報と、前記乗物の位置に関する第２情報と、前記端末から前記サーバに送信された前記第３情報と、前記端末とは異なる第１端末から前記サーバに送信された位置に関する第４情報とに基づく、前記乗物が移動する経路に関する情報を受信する通信部と、
前記経路に関する情報に基づく表示を行う表示部と備える。
【手続補正２】
【補正対象書類名】明細書
【補正対象項目名】発明の名称
【補正方法】変更
【補正の内容】
【発明の名称】情報処理方法、プログラム及び端末